(57)【特許請求の範囲】
【請求項１】
洗浄時に洗浄水によってノズルを復帰用ばねに抗して操作用シリンダから突出させ、前記洗浄水を前記ノズルの噴出口から噴出させることにより局部洗浄を行う洗浄ノズルと、給水配管から供給される水と給湯配管から供給されるお湯を混合するミキシングバルブと、前記ミキシングバルブに分岐して設けられ前記洗浄ノズルにそれぞれ接続された局部洗浄用供給流路およびノズル洗浄用供給流路と、前記局部洗浄用供給流路と前記ノズル洗浄用供給流路にそれぞれ設けられた第１、第２の弁と、前記第１、第２の弁を制御する制御部とを備え、
肛門洗浄とビデ洗浄またはビデ洗浄と肛門洗浄を連続して行うに際して、最初の局部洗浄時に前記第１の弁を開いて前記洗浄水を前記局部洗浄用供給流路より前記洗浄ノズルに供給することにより局部洗浄を行い、最初の局部洗浄が終了すると前記第１の弁を閉じるとほぼ同時に前記第２の弁を開いて前記洗浄水を前記ノズル洗浄用供給流路より前記洗浄ノズルに供給することによりノズル洗浄を行い、
前記ノズル洗浄が終了すると前記第１の弁を開くと同時に前記第２の弁を閉じて前記洗浄水を前記局部洗浄用供給流路より前記洗浄ノズルに供給することにより次の局部洗浄を行い、
前記局部洗浄が終了すると前記第１の弁を閉じるとほぼ同時に前記第２の弁を開いて洗浄水を前記ノズル洗浄用供給流路より前記洗浄ノズルに供給することによりノズル洗浄を行い、
前記復帰用ばねは前記第１の弁が閉弁すると前記ノズルを復帰させて前記操作用シリンダ内に収納し、
前記復帰用ばねによる前記ノズルの収納時に前記操作用シリンダ内に残った洗浄水を前記操作用シリンダと前記ノズルとの隙間を通って便器内に排水することを特徴とする人体局部洗浄装置。
【請求項２】
請求項１記載の人体局部洗浄装置において、
前記操作用シリンダにノズル洗浄用の洗浄水が供給されるノズル洗浄室を形成したことを特徴とする人体局部洗浄装置。
【発明の詳細な説明】
【０００１】
【発明の属する技術分野】
本発明は、用便後の身体の局部を洗浄する人体局部洗浄装置に関し、さらに詳しくは１本のノズルにより肛門洗浄とビデ洗浄またはビデ洗浄と肛門洗浄を連続して行うに際して、最初の局部洗浄と次の局部洗浄が終了した後に洗浄水の供給を停止させることなくノズル洗浄を局部洗浄に連続して行うようにした人体局部洗浄装置に関する。
【０００２】
【従来の技術】
洋式の便器に設置されるこの種の人体局部洗浄装置は、スイッチ操作によって洗浄ノズルを伸張させ、その噴出口から洗浄水を上方に向けて噴出させることにより、局部洗浄（肛門洗浄、ビデ洗浄）を行うように構成されている。局部洗浄に用いられる洗浄水は、給水配管からの水と給湯配管からの温水をミキシングバルブによって混合することにより、温度調整された温水が用いられる。
【０００３】
洗浄ノズルは、ノズルの駆動方式によって大別すると、モータ等の駆動源によって進退されるものと、駆動源を備えず洗浄水の水圧のみによって前進され、ばねによって後退復帰されるものとの２種類がある。駆動源式の洗浄ノズルは、一般家庭等に広く普及しており、現状では洗浄ノズルの主流をなしている。一方、水圧式の洗浄ノズルは、特開平１１−１８１８６６号公報、特公平２−１５７００号公報等に開示されたものが知られており、電源を必要としないため、駆動源式に較べて構造が簡単で安価に製作できるという利点を有している。ノズルによる洗浄形式によって大別すると、２本のノズルによって肛門洗浄とビデ洗浄を別々に行うものと、１本のノズルを１段階に突出させて肛門洗浄とビデ洗浄を行うものと、１本のノズルを２段階に突出させて肛門洗浄とビデ洗浄を行うものとの３種類がある。
【０００４】
また、この種の人体局部洗浄装置は、衛生面を考慮してノズルを伸張し洗浄位置に移動させる前と局部洗浄が終了した後にノズルの先端部および胴体部を洗浄するノズル洗浄を行うことが望ましい。例えば、上記した特公平２−１５７００号公報等に開示された局部洗浄装置は、洗浄が終了した後、シリンダ内に残っている洗浄水と洗浄水給水源からの洗浄水をノズル洗浄用配管に導いてノズル外周の洗浄を行うようにしている。
【０００５】
【発明が解決しようとする課題】
１本のノズルを２段階に突出させて肛門洗浄とビデ洗浄を行う人体局部洗浄装置において、肛門洗浄→ビデ洗浄またはビデ洗浄→肛門洗浄を連続して行う場合、ノズルを共通に使用するため、最初の局部洗浄が終了した後、次の洗浄を連続して行うと、最初の洗浄による汚物がノズルに付着していることが考えられるため、最初の局部洗浄を行った後、次の局部洗浄を行う前にノズル洗浄を行うことが望まれていた。
その場合、局部洗浄した後給水源からの洗浄水の給水を一時停止してノズルを初期位置に復帰させた後、洗浄水によってノズル洗浄を行うと、洗浄水の給水を一時停止したことで洗浄水の温度が低下し、所定の温度に戻るまでに時間がかかるため、次の局部洗浄を開始したとき冷たい洗浄水が噴出し、使用者に不快感を与えるおそれがある。
【０００６】
本発明は上記した従来の問題を解決するためになされたもので、その目的とするところは、使用者に不快感を与えることがなく、局部洗浄、ビデ洗浄およびノズル洗浄を連続して行い得るようにした衛生的な人体局部洗浄装置を提供することにある。
【０００７】
【課題を解決するための手段】
上記目的を達成するために第１の発明は、洗浄時に洗浄水によってノズルを復帰用ばねに抗して操作用シリンダから突出させ、前記洗浄水を前記ノズルの噴出口から噴出させることにより局部洗浄を行う洗浄ノズルと、給水配管から供給される水と給湯配管から供給されるお湯を混合するミキシングバルブと、前記ミキシングバルブに分岐して設けられ前記洗浄ノズルにそれぞれ接続された局部洗浄用供給流路およびノズル洗浄用供給流路と、前記局部洗浄用供給流路と前記ノズル洗浄用供給流路にそれぞれ設けられた第１、第２の弁と、前記第１、第２の弁を制御する制御部とを備え、肛門洗浄とビデ洗浄またはビデ洗浄と肛門洗浄を連続して行うに際して、最初の局部洗浄時に前記第１の弁を開いて前記洗浄水を前記局部洗浄用供給流路より前記洗浄ノズルに供給することにより局部洗浄を行い、最初の局部洗浄が終了すると前記第１の弁を閉じるとほぼ同時に前記第２の弁を開いて前記洗浄水を前記ノズル洗浄用供給流路より前記洗浄ノズルに供給することによりノズル洗浄を行い、前記ノズル洗浄が終了すると前記第１の弁を開くと同時に前記第２の弁を閉じて前記洗浄水を前記局部洗浄用供給流路より前記洗浄ノズルに供給することにより次の局部洗浄を行い、前記局部洗浄が終了すると前記第１の弁を閉じるとほぼ同時に前記第２の弁を開いて洗浄水を前記ノズル洗浄用供給流路より前記洗浄ノズルに供給することによりノズル洗浄を行い、前記復帰用ばねは前記第１の弁が閉弁すると前記ノズルを復帰させて前記操作用シリンダ内に収納し、前記復帰用ばねによる前記ノズルの収納時に前記操作用シリンダ内に残った洗浄水を前記操作用シリンダと前記ノズルとの隙間を通って便器内に排水するものである。
【０００８】
第２の発明は上記した第１の発明において、前記操作用シリンダにノズル洗浄用の洗浄水が供給されるノズル洗浄室を形成したものである。
【０００９】
第１の発明においては、局部洗浄が終了すると、弁の切替えによって局部洗浄に用いていた洗浄水をノズル洗浄に用いるため、洗浄水の給水を一時停止させることがなく局部洗浄とノズル洗浄を連続して行うことができる。したがって、衛生的で、洗浄水の温度が変化しない。
第２の発明において、シリンダに形成したノズル洗浄室内でノズル洗浄を行うので、シリンダの外部に洗浄水が飛び散るおそれが少ない。
【００１０】
【発明の実施の形態】
以下、本発明を図面に示す実施の形態に基づいて詳細に説明する。
図１は本発明の一実施の形態を示す洗浄ノズルの外観斜視図、図２は同ノズルの洗浄装置本体内に組み込まれている状態を示す平面図、図３は不使用時の断面図、図４はピストンの斜視図、図５は図１のＶ−Ｖ線断面図、図６は肛門洗浄時の状態を示す断面図、図７はビデ洗浄時の状態を示す断面図である。なお、図３、図６および図７においては、ノズル先端部を垂直に断面した図で示し、その他の部分を水平に断面した図で示している。
【００１１】
本実施の形態において、人体局部洗浄装置１は、洗浄装置本体２内に組み込まれた１本の洗浄ノズル２１を備え、この洗浄ノズル２１を洗浄水３１の水圧によって２段階に伸張させて肛門洗浄とビデ洗浄を行い得るように構成されている。
【００１２】
前記洗浄装置本体２は、図示しない便器に装着され内部に前記洗浄ノズル２１、ミキシングバルブ２２、第１、第２の弁としての電磁弁２３，２４、切替弁装置２５、流量調節弁２６、図示しない温度サーミスタ、減圧弁、逆止弁等を備え、洗浄時にノズル３０を洗浄水３１の水圧によって伸張し便器内に突出させることにより、肛門洗浄、ビデ洗浄または肛門洗浄とビデ洗浄を連続して行うように構成されている。
【００１３】
前記洗浄装置本体２の内部中央には前記洗浄ノズル２１が配設され、この洗浄ノズル２１の右側に前記ミキシングバルブ２２、電磁弁２３，２４等が配設され、さらにその右側には給水配管１０および給湯配管１１が配管されている。給水配管１０によって供給される水と給湯配管１１によって供給される温水（７０°Ｃ前後）は、ミキシングバルブ２２によって混合された後、局部洗浄用供給流路３３またはノズル洗浄用供給流路３４を経て前記洗浄ノズル２１に洗浄水３１（４０°Ｃ程度の温水）として給水される。局部洗浄用供給流路３３とノズル洗浄用供給流路３４は、上流側端が互いに接続され前記ミキシングバルブ２２の吐出口に接続された分岐管からなり、下流側端が後述する接続具を介して前記洗浄ノズル２１にそれぞれ接続されている。ノズル洗浄用供給流路３４には、洗浄水３１の一部を便器内に排水するドレン流路２７が接続されている。前記電磁弁２３，２４は、局部洗浄用供給流路３３とノズル洗浄用供給流路３４にそれぞれ設けられている。
【００１４】
前記洗浄ノズル２１は、操作用シリンダ２８と、この操作用シリンダ２８内に進退自在に嵌挿され、洗浄水３１の水圧によって作動されるピストン２９と、肛門洗浄時には前記ピストン２９によって肛門洗浄位置に移動され、ビデ洗浄時にはピストン２９と洗浄水３１の水圧によってビデ洗浄位置に移動されるノズル３０と、このノズル３０を復帰方向に付勢する復帰用ばね３２等を備え、前記局部洗浄用供給流路３３、ノズル洗浄用供給流路３４および流路３５ａ〜３５ｅが接続されている。
【００１５】
前記操作用シリンダ２８は、前後端が開口した内径が異なるプラスチック製の異径管からなり、前半部が小径の第１のシリンダ２８Ａを構成し、後半部が大径の第２のシリンダ２８Ｂを構成している。このため、操作用シリンダ２８の内周面で第１のシリンダ２８Ａと第２のシリンダ２８Ｂの接続部には、前記ピストン２９の前進動を制限する段部３７が設けられている。また、第１のシリンダ２８Ａの中間部にはさらに小径部３８が形成されており、この小径部３８の後端面が前記ノズル３０の前進動を制限する係止部３９として機能し、前端側にばね受部４０が一体に設けられている。このばね受部４０は、前記復帰用ばね３２の前端を受け止めるとともに、前記ノズル３０を摺動自在に支持し案内するもので、内径が前記小径部３８の内径より小さく、前記ノズル３０の外径より大きいリング状に形成されている。また、ばね受部４０のノズル３０を支持し案内する摺動面４０ａには、ノズル３０の回転を防止する図示しない突起が一体に突設されている。
【００１６】
前記操作用シリンダ２８の後端側開口部は洗浄水供給口４２を形成し、前記局部洗浄用供給流路３３が接続具４３を介して接続されている。前記接続具４３は、合成樹脂によって浅底のキャップ状に形成された本体４３Ａと、この本体４３Ａの表面に一体に突設され前記局部洗浄用供給流路３３の一端が接続される接続部４３Ｂとを備えている。この接続部４３Ｂは一端が開放する筒体で、開放端側が接続口４４を形成して本体４３Ａより外側に突出し、閉塞端が本体４３Ａの表面中央に位置するように本体４３Ａの半径方向に形成されている。また、本体４３Ａの表面と接続部４３Ｂとの接合部には、接続部４３Ｂの軸線方向に長い長穴からなる流入口４５が形成されている。さらに、本体４３Ａの外周には、２つのねじ取付部４７（図２）が周方向に１８０°位相を異ならせて一体に突設されている。
【００１７】
このような接続具４３は、前記操作用シリンダ２８の後端開口部にシール部材４６（図３）を介して嵌合され、止めねじ４８（図２）を前記ねじ取付部４７に設けたねじ取付孔に挿通し、操作用シリンダ２８の後端部外周に突設した固定部４９にねじ込むことにより着脱可能に取付けられる。接続具４３の取付けに際しては、洗浄装置本体２が右袖タイプで、前記給水配管１０、給湯配管１１および局部洗浄用供給流路３３が洗浄ノズル２１の右側に配管されているため接続部４３Ｂが右を向くように操作用シリンダ２８に取付ける。このように、接続部４３Ｂを右向きにして取付けると、局部洗浄用供給流路３３を折り曲げたりする必要がなく、左向きに取付けた場合に較べて容易に接続することができる。なお、給水配管１０、給湯配管１１および局部洗浄用供給流路３３が洗浄ノズル２１の左側に配管されている場合は、図３に二点鎖線で示すように接続具４３’を接続部４３Ｂが左を向くように１８０°回転させて操作用シリンダ２８に取付ければよい。
【００１８】
また、前記操作用シリンダ２８の左側面には、内外を連通させるノズル用洗浄水供給口５０、ノズル操作用供給口５１および第１、第２の吐出口５２，５３が設けられている。ノズル用洗浄水供給口５０と第２の吐出口５３は、前記小径部３８を挟んでその前後に位置するように第１のシリンダ２８Ａ側に形成され、前記流路３５ｅ，３５ｄにそれぞれ接続されている。ノズル操作用供給口５１と第１の吐出口５２は、前記段部３７を挟んでその前後に位置するように第１、第２のシリンダ２８Ａ，２８Ｂの接続部に形成され、流路３５ｂ，３５ａにそれぞれ接続されている。
【００１９】
図１、図２および図５において、前記操作用シリンダ２８の内部で前記ばね受部４０より前方部分は、前記ノズル洗浄用供給口５５を有するノズル洗浄室６２を形成しており、前記接続具５７を介してノズル洗浄用供給流路３４が接続されている。前記ノズル洗浄用供給口５５は、操作用シリンダ２８の上面に開口して形成され、接続部５６によって覆われている。接続部５６は、操作用シリンダ２８の軸線方向と直交する両端開放の筒状体に形成され、この接続部５６にノズル洗浄用の接続具５７が着脱可能に、かつ左右の向きが変更可能に取付けられている。
【００２０】
前記接続具５７は、一端のみが開放する筒体からなり、開放端が接続口６１を形成し前記ノズル洗浄用供給流路３４の一端が接続される。また、接続具５７の周面で上面側には接続部５６に対して接続具５７を位置決めする位置決め用突起５８が一体に突設され、一側面には前記接続部５６に係合し接続具５７の回転を防止する鉤形の係合片５９が一体に突設され、さらに下面中間部には前記ノズル洗浄用供給口５５に連通する吐出口６０が形成されている。
【００２１】
接続具５７の取付けに際しては、上記した接続具４３と同様に、前記給水配管１０、給湯配管１１およびノズル洗浄用供給流路３４が洗浄ノズル２１の右側に配管されているため、接続口６１を右向きにして操作用シリンダ２８の右側から閉塞端側を接続部５６に嵌合し、位置決め用突起５８を接続部５６の挿入側端面に接触させて位置決めし、前記ノズル洗浄用供給口５５と吐出口６０を連通させればよい。一方、給水配管１０、給湯配管１１およびノズル洗浄用供給流路３４が洗浄ノズル２１の左側に配管されている場合は、図１に二点鎖線で示すように接続具５７’を接続口６１’が左を向くように操作用シリンダ２８の左側から接続部５６に取付ければよい。
【００２２】
図３において、前記切替弁装置２５は、前記各流路３５ｂ，３５ｃ，３５ｄ，３５ｅにそれぞれ接続された４個の切替弁Ｖ１〜Ｖ４を備えている。流路３５ａと流路３５ｃおよび流路３５ｅは直列に接続され、流路３５ｃと流路３５ｅに切替弁Ｖ２，Ｖ４がそれぞれ接続されている。流路３５ｂは切替弁Ｖ１を備え、切替弁Ｖ２より上流側において前記流路３５ｃに接続されている。流路３５ｄは切替弁Ｖ３を備え、流路３５ｃと流路３５ｅとの接続部に接続されている。前記各切替弁Ｖ１〜Ｖ４は、前記電磁弁２３，２４とともに制御部６７からの駆動信号によって駆動されることにより開閉制御されるもので、肛門洗浄時には切替弁Ｖ２，Ｖ４のみが開き、切替弁Ｖ１，Ｖ３が閉じた状態に保持されることにより流路３５ａ、流路３５ｃおよび流路３５ｅを連通させる。一方、ビデ洗浄時には切替弁Ｖ１，Ｖ３，Ｖ４が開き、切替弁Ｖ２が閉じた状態に保持されることにより、流路３５ａ、流路３５ｃの一部（バルブＶ２より上流側）、流路３５ｂ、操作用シリンダ２８、流路３５ｄおよび流路３５ｅを連通させる。なお、ノズル３０に給水される洗浄水３１の流量は、流量調節弁２６を手動操作することにより調節される。
【００２３】
図３および図４において、前記ピストン２９は合成樹脂製で、円板状の受圧板２９Ａと、この受圧板２９Ａの受圧面（背面）側に一体に突設された円筒部２９Ｂとを備え、受圧板２９Ａの前面にリング状のシール部材６３が嵌着されている。なお、ピストン２９と第２シリンダ２８Ｂの内壁の間には微小な隙間が設けられている。
【００２４】
図１および図３において、前記ノズル３０は、合成樹脂によって前記ばね受部４０の内径より僅かに小さい外径を有する細長い筒状に形成され、内部に肛門洗浄用通路６５とビデ洗浄用通路６６が形成されている。肛門洗浄用通路６５の前方側開口部は、ノズル３０の前端側上面に開口することにより噴出口６５ａを形成している。一方、後方側開口部６５ｂは、肛門洗浄時にノズル３０が前方へ移動して肛門洗浄位置に停止したとき前記ノズル用洗浄水供給口５０と一致し連通する位置に形成されている。ビデ洗浄用通路６６の前方側開口部は、ノズル３０の前端側上面で前記噴出口６５ａより前方に位置して開口することにより噴出口６６ａを形成している。一方、後方側開口部６６ｂは、ビデ洗浄時にノズル３０が最大ストローク前進してビデ洗浄位置に停止したとき前記ノズル用洗浄水供給口５０と一致し連通する位置に形成されている。肛門洗浄位置は図６に示す位置で、ノズル３０の後端フランジ部がノズル操作用供給口５１の直前に移動した位置とされる。ビデ洗浄位置は図７に示す位置で、ノズル３０の後端フランジ部が第２の吐出口５３の直前に移動し係止部３９に当たった位置とされる。前記噴出口６５ａ，６６ａは、図１に示すように複数個の小孔によって構成されるが、図３、図６および図７においては１つの小孔として示している。
【００２５】
前記ノズル３０の外周面には、互いに平行な２つの平坦部７０（図１）が形成されており、この平坦部７０と前記ばね受部４０との隙間が水抜き用の隙間を形成している。
【００２６】
前記ノズル３０の後端側外周面と後端面には、受圧板を形成するフランジ７１とピン７２がそれぞれ一体に突設されている。フランジ７１は、前記第１のシリンダ２８Ａの内径より僅かに小さい外径を有し、前面側にシール部材７３が装着されている。ピン７２はノズル３０の後端面中央に一体に突設され、前記ピストン２９の受圧板２９Ａに当接することにことによりピストン２９とノズル３０を離間させている。これは、ビデ洗浄時にノズル操作用供給口５１から第１のシリンダ２８Ａ内に流入する洗浄水３１をフランジ７１の受圧面（背面）側に供給するためである。
【００２７】
前記ノズル３０を復帰方向に付勢する前記復帰用ばね３２は圧縮コイルばねからなり、前記ばね受部４０とフランジ７１との間に弾装されている。
【００２８】
次に、このような構造からなる洗浄ノズル２１による洗浄動作について説明する。
図３は非洗浄時の状態を示す。この状態において、ノズル３０は復帰用ばね３２によって初期位置に保持されることによりピストン２９を接続具４３の内面に押付けている。このとき、電磁弁２３，２４および切替弁Ｖ１〜Ｖ４は閉じている。
【００２９】
使用者が用便後に洗浄装置本体２の袖部に設けられている肛門洗浄用のスイッチを操作すると、制御部６７からの駆動信号によって電磁弁２３と切替弁Ｖ２，Ｖ４が開く。電磁弁２３が開くと、洗浄水３１は局部洗浄用供給流路３３および接続具４３を通って第２のシリンダ２８Ｂ内に流入すると、その水圧でピストン２９を押圧する。したがって、ピストン２９とノズル３０は復帰用ばね３２に抗して一体的に前進し、ノズル３０の前端部が操作用シリンダ２８の前端側開口部７５から突出する。ピストン２９は最大ストローク前進すると、段部３７に当接して停止する。ピストン２９が停止すると、第２のシリンダ２８Ｂ内に流入した洗浄水３１は、第１の吐出口５２−流路３５ａ−流路３５ｃ−流路３５ｅを通ってノズル用洗浄水供給口５０に給水されるが、切替弁Ｖ１がＯＦＦのため流路３５ｂを通って第１のシリンダ２８Ａのノズル操作用供給口５１には給水されない。このため、ピストン２９の停止し伴いノズル３０も停止する。この停止位置が肛門洗浄位置であり、前記ノズル用洗浄水供給口５０と肛門洗浄用通路６５の後方側開口部６５ｂが合致する。したがって、ノズル用洗浄水供給口５０より肛門洗浄用通路６５の給水される洗浄水３１は噴出口６５ａから上方に向かって噴出し肛門洗浄を所望の時間行う。
【００３０】
肛門洗浄後、肛門洗浄用のスイッチをＯＦＦにすると、電磁弁２３、切替弁Ｖ２，Ｖ４が閉じ、電磁弁２４が開く。電磁弁２３が閉じると、洗浄ノズル２１への洗浄水３１の給水が停止するため、洗浄水３１の水圧が低下する。したがって、ノズル３０は復帰用ばね３２の弾撥力によって徐々に後退して図３に示す初期位置に復帰し、ピストン２９を接続具４３の内面に押付ける。このとき、操作用シリンダ２８内に残った洗浄水３１は、ノズル３０との隙間を通って操作用シリンダ２８の前端側開口部７５から便器内に排水される。
【００３１】
一方、電磁弁２４が開くと、洗浄水３１はノズル洗浄用供給流路３４を通って接続具５７に給水され、吐出口６０およびノズル洗浄用供給口５５（図５）を通ってノズル洗浄室６２内に吐出されることにより、ノズル３０の外周を洗浄する。このノズル洗浄においては、局部洗浄に較べて洗浄水３１の使用量が少なくてよいため、その一部がドレン流路２７を通って便器内に排水される。そして、ノズル洗浄を所望の時間行うと、電磁弁２４は閉じる。
【００３２】
使用者がビデ洗浄用のスイッチを操作すると、電磁弁２３と切替弁Ｖ１，Ｖ３，Ｖ４が開く。電磁弁２３が開くと、局部洗浄用供給流路３３から給水される洗浄水３１は接続具４３を通って第２のシリンダ２８Ｂ内に流入し、その水圧でピストン２９とノズル３０を復帰用ばね３２に抗して前進させる。このため、ノズル３０は操作用シリンダ２８の前端側開口部７５から突出する。ピストン２９は最大ストローク前進すると段部３７に当接して停止する。ピストン２９が停止すると、ノズル３０はピストン２９によっては移動されなくなるが、第２のシリンダ２８Ｂ内に給水された洗浄水３１が第１の吐出口５２−流路３５ａ−流路３５ｃの一部−流路３５ｂ−ノズル操作用供給口５１を通って第１のシリンダ２８Ａ内に導かれ、その水圧でフランジ７１を押圧するため、図７に示すようにさらに伸張してビデ洗浄位置に移動し、この位置でシール部材７３が係止部３９に当接することにより停止する。この状態において、ビデ洗浄用通路６６の後方側開口部６６ｂがノズル用洗浄水供給口５０と合致してビデ洗浄が開始される。すなわち、ノズル３０が最大ストローク前進してビデ洗浄位置に停止すると、第１のシリンダ２８Ａ内に導かれた洗浄水３１は、第２の吐出口５３−流路３５ｄ−流路３５ｅを通ってノズル用洗浄水供給口５０よりビデ洗浄用通路６６に給水されるため、その噴出口６６ａから上方に向かって噴出しビデ洗浄を所望の時間行う。
【００３３】
ビデ洗浄後、ビデ洗浄用のスイッチをＯＦＦにすると、電磁弁２３、切替弁Ｖ１，Ｖ３，Ｖ４が閉じ、洗浄水３１の給水が停止するため、ピストン２９とノズル３０を肛門洗浄時と同様に初期位置に復帰させることができる。このときも操作用シリンダ２８内に残った洗浄水３１は、ノズル３０との隙間を通って操作用シリンダ２８の前端側開口部７５から便器内に排水されるので、操作用シリンダ２８内に残留するようなことはなく、ノズル３０を円滑に復帰させることができる。また、ビデ洗浄が終了すると同時に電磁弁２４が開くため、肛門洗浄終了時と同様に洗浄水３１がノズル洗浄用供給流路３４を通ってノズル洗浄室６２に給水されることによりノズル３０の洗浄を行う。
【００３４】
肛門洗浄した後にビデ洗浄を連続して行うときは、肛門とビデの連続洗浄用のスイッチを操作すると、上記した肛門洗浄時と同様に電磁弁２３と切替弁Ｖ２，Ｖ４が開き、洗浄水３１を上記したように局部洗浄用供給流路３３を通って第２のシリンダ２８Ｂに給水し、その水圧でピストン２９とノズル３０を前進させる。したがって、ノズル３０は肛門洗浄位置に移動して肛門洗浄を所望の時間行う。そして、肛門洗浄が終了すると、電磁弁２３と切替弁Ｖ２，Ｖ４が自動的に閉じ、それとほぼ同時に電磁弁２４が自動的に開く。電磁弁２３が閉じると、第２のシリンダ２８Ｂへの洗浄水３１の給水が停止するため、ピストン２９とノズル３０は復帰用ばね３２の弾撥力によって図３に示す初期位置に一旦復帰する。
【００３５】
一方、電磁弁２４が開くと、洗浄水３１はノズル洗浄用供給流路３４を通ってノズル洗浄室６２に給水されるため、ノズル３０を復帰させながらノズル３０の洗浄を所望の時間行う。ノズル洗浄が終了するとビデ洗浄に自動的に切り替わり、電磁弁２３と切替弁Ｖ１，Ｖ３，Ｖ４が開き、電磁弁２４が閉じる。電磁弁２３が開くと、洗浄水３１は上記した通り局部洗浄用供給流路３３−第２のシリンダ２８Ｂを通って流路３５ａ−流路３５ｃの一部−流路３５ｂ−第１のシリンダ２８Ａ−流路３５ｄ−３５ｅ−ビデ洗浄用通路３６に給水されるため、ノズル３０をビデ洗浄位置に前進させ、噴出口３６ａから噴出することによりビデ洗浄を所望の時間行う。そして、ビデ洗浄が終了すると、電磁弁２３と切替弁Ｖ１，Ｖ３，Ｖ４が自動的に閉じ、ピストン２９とノズル３０が復帰用ばね３２の弾撥力によって図３に示す初期位置に復帰し、電磁弁２４が開くことによりノズル３０を復帰させながら所望の時間洗浄する。
【００３６】
ビデ洗浄した後に肛門洗浄を連続して行うときは、ビデと肛門の連続洗浄用のスイッチを操作すればよい。このときも上記した肛門のビデ洗浄の連続洗浄時と同様に、局部洗浄とノズル洗浄を連続して行うことができる。また、ビデ洗浄中に肛門洗浄用のスイッチを操作した場合、あるいはその逆の場合にも、上記したようなノズル洗浄動作を挟んで２つの洗浄を連続して行うことができる。
【００３７】
なお、上記した実施の形態においては、ノズル３０を洗浄水３１の水圧によって伸張させるようにした局部洗浄装置に適用した例を示したが、本発明はこれに何等限定されるものではなく、モータ等の駆動源によってノズル３０を進退させるようにした洗浄装置にも適用することができる。
【００３８】
【発明の効果】
以上説明したように本発明に係る人体局部洗浄装置によれば、局部洗浄が終了すると第１、第２の弁の切り替えによって局部洗浄に用いていた洗浄水をノズル洗浄に用いるように構成したので、洗浄水の給水を一時停止させることがなく、局部洗浄とノズル洗浄を連続して行うことができ衛生的である。また、特に肛門洗浄とビデ洗浄を連続して行う場合に洗浄水の温度が変化せず、使用者に不快感を与えることがない。
また、本発明はシリンダに形成したノズル洗浄室内でノズル洗浄を行うので、シリンダの外部に洗浄水が飛び散るおそれが少ない。
【図面の簡単な説明】
【図１】  本発明の一実施の形態を示す洗浄ノズルの外観斜視図である。
【図２】  同ノズルの洗浄装置本体内に組み込まれている状態を示す平面図である。
【図３】  不使用時の断面図である。
【図４】  ピストンの斜視図である。
【図５】  図１のＶ−Ｖ線断面図である。
【図６】  肛門洗浄時の状態を示す断面図である。
【図７】  ビデ洗浄時の状態を示す断面図である。
【符号の説明】
１…人体局部洗浄装置、１０…給水配管、１１…給湯配管、２１…洗浄ノズル、２２…ミキシングバルブ、２３，２４…電磁弁、２８…操作用シリンダ、２９…ピストン、３０…ノズル、３３…局部洗浄用供給流路、３４…ノズル洗浄用供給流路、４２…洗浄水供給口、５５…ノズル洗浄用供給口、６２…ノズル洗浄室、６７…制御部。
【図１】
0003718090.tif 000002
【図２】
0003718090.tif 000003
【図３】
0003718090.tif 000004
【図４】
0003718090.tif 000005
【図５】
0003718090.tif 000006
【図６】
0003718090.tif 000007
【図７】
0003718090.tif 000008